(57)【要約】【課題】封筒等の袋体を開いた際にすぐに香りが拡がると共にアロマオイル等が外部に滲み出さない文香用のバッグを提供する。【解決手段】本発明の文香用のバッグ10は、表面側と背面側の2枚のシート20,30を、上部開口40を有する袋状に形成したバッグであり、前記2枚のシートが共に非通気性及び非透水性を有し、更に表面側のシートが透明性も有しており、前記2枚のシートを接着剤を使用せずに貼り合わせたことを特徴とする。内部に収容した芳香物Aの香りはバッグの外部に拡散していく際に上部開口だけを通るので、香りが必要以上に外部に拡散してしまうことなく、一定期間持続させることができる。また、アロマオイルや香水等を浸透させた芳香物をバッグ内部に収容する場合でも、アロマオイル等が表面側又は裏面側のシートを透過してバッグ表面に滲み出すことがない。【選択図】図１
2016196302.tif 000002
【特許請求の範囲】
【請求項１】
表面側と背面側の2枚のシートを、上部開口を有する袋状に形成したバッグであり、
前記2枚のシートが共に非通気性及び非透水性を有し、更に表面側のシートが透明性も有しており、
前記2枚のシートを接着剤を使用せずに貼り合わせたことを特徴とする文香用のバッグ。
【請求項２】
前記背面側のシートが合成紙から成ることを特徴とする請求項1に記載の文香用のバッグ。
【請求項３】
前記2枚のシートを縫合により貼り合わせたことを特徴とする請求項1又は2に記載の文香用のバッグ。
【請求項４】
内部に収容する芳香物がアロマオイル又は香水を浸透させた水引であることを特徴とする請求項1〜3のいずれか一項に記載の文香用のバッグ。
【発明の詳細な説明】
【技術分野】
【０００１】
本発明は、芳香物を手紙に添えて送る文香に適したバッグに関する。
【背景技術】
【０００２】
文香(ふみこう)は平安時代から続く優雅で美しい日本の伝統的風習である。手紙をひらく人の気持ちを想いながら言葉を選び、季節の花や枝などを添えて紙に香りをたきしめることで、香りとともに心を届けることを目的としている。
一般的に芳香物は、香りを揮発させないためにガラスや陶器等の容器に収容したり、あるいは香りを揮発させるために布や不織布製の袋体に収容される。
例えば特許文献1に開示された芳香剤用の包装袋は、その内部に気体透過性を有する天部フィルムを折り畳んだ状態で備えている。使用時に包装袋の上部を切り取ると、天部フィルムが上部開口を覆った状態で拡がり、芳香剤の香り成分が天部フィルムを通過して外部に拡散していく。そして、包装袋が転倒した場合には天部フィルムが蓋として機能するので芳香剤が外部に漏出する事態を防止できる。
また、特許文献2に開示された収納袋は、孔が空いた通気性シートと粘着剥離層を備えるシートとを貼り合わせ、上部に開口を設けている。当該開口から芳香剤シートを内部に収容することで、粘着剥離層を利用して収納袋を任意の場所に繰り返し貼ることができる。
【先行技術文献】
【特許文献】
【０００３】
【特許文献１】特開2004-359292号公報
【特許文献２】特開2011-5178号公報
【発明の概要】
【発明が解決しようとする課題】
【０００４】
ところが、上記先行技術は以下のような問題がある。
すなわち、文香では芳香物を手紙と共に封筒等の袋体に入れた状態で相手方に送り、受け取った者が封筒を開いた際、あるいは手紙を取り出した際に手紙に移った芳香物の香りが拡がる（香りがすぐに相手に伝わる）のが好ましい。
しかし、特許文献1では芳香物を入れた包装袋を密封する仕組みになっているため、仮に包装袋を手紙と共に封筒に入れた場合、相手が封筒を開いた際や手紙を取り出した際に香りが拡がらないという問題がある。
また、特許文献2は収納袋の一面を通気性シートで構成しているので、例えばアロマオイルや香水を浸透させた芳香物を用いる場合、通気性シートの孔からアロマオイル等が滲み出し、手紙を汚してしまうという問題がある。
【０００５】
本発明はこのような問題に鑑み、封筒等の袋体を開いた際にすぐに香りが拡がると共にアロマオイル等が外部に滲み出さない文香用のバッグを提供することを課題とする。
【課題を解決するための手段】
【０００６】
本発明の文香用のバッグは、表面側と背面側の2枚のシートを、上部開口を有する袋状に形成したバッグであり、前記2枚のシートが共に非通気性及び非透水性を有し、更に表面側のシートが透明性も有しており、前記2枚のシートを接着剤を使用せずに貼り合わせたことを特徴とする。
また、前記背面側のシートが合成紙から成ることを特徴とする。
また、前記2枚のシートを縫合により貼り合わせたことを特徴とする。
また、内部に収容する芳香物がアロマオイル又は香水を浸透させた水引であることを特徴とする。
【発明の効果】
【０００７】
本発明の文香用のバッグは非通気性及び非透水性を有する2枚のシートを貼り合わせて成り、その上部に開口を有する。内部に収容した芳香物の香りは上部開口だけを通って外部に拡散していくので、香りが必要以上に外部に拡散（揮発）してしまうことなく、香りを長時間持続させることができる。
また、アロマオイルや香水等を浸透させた芳香物をバッグ内部に収容する場合でも、アロマオイル等が表面側又は裏面側のシートを透過してバッグ表面に滲み出すことがない。
また、表面側のシートに透明性を持たせることで、意匠性が高い芳香物を用いる場合に、当該芳香物をバッグの外側から視認できるという効果もある。
また、接着剤を使用せずに2枚のシートを貼り合わせるので、芳香剤に浸透させたアロマオイルや香水等が接着剤に触れて変色等の化学反応を起こしてしまう事態を防止できる。
このように、本発明の文香用のバッグを用いることで、平安時代から続く日本の伝統的風習を誰でも気軽に楽しむことができるようになる。
また、裏面側のシートを合成紙にする場合、芳香物に関する説明文や相手方へのメッセージを印刷できる。
また、2枚のシートを縫合により貼り合わせる場合、バッグを手作業で製造することになるため、お持てなしや誠意の気持ちが相手に伝わりやすくなると共にバッグの意匠性を高めることができる。
芳香物としてアロマオイル等を浸透させた水引を用いることにすれば、日本の伝統文化である水引に現代的な要素を持つアロマオイルを組み合わせることになり、文香の新たな楽しみ方を創出できる。
【図面の簡単な説明】
【０００８】
【図１】文香用のバッグを構成する2枚のシートを示す図(a)、2枚のシートを縫合した状態を示す図(b)及び芳香物としての水引を収容した状態を示す図(c)
【発明を実施するための形態】
【０００９】
本発明の文香用のバッグ（以下、単に「バッグ10」と表記することがある）について図面を用いて説明する。
図1(a)〜（c）に示すように、バッグ10は表面側と裏面側の2枚のシート20,30を貼り合わせて構成される。
本実施の形態では芳香物Aとして水引にアロマオイルを浸透させたものを示している。
表面側のシート20は非通気性及び非透水性を有し、更に透明性も有している。
表面側のシート20としては周知のプラスチックフィルムを用いることができ、例えば透明のベースフィルムの表面に透明の無機薄膜を蒸着させた食品保存等の目的で使用される機能性フィルムを用いることができるが、これに限定されるものではない。
【００１０】
裏面側のシート30は非通気性及び非透水性を有している。
裏面側のシート30としては例えば周知のプラスチックフィルムや合成紙を用いることができる。合成紙は主原料である合成樹脂の特性を備えつつ、木材パルプから成る通常の紙が有する不透明性や印刷・加工の容易さをも兼ね備える素材であるため、裏面側のシート30として特に好ましい。なお、裏面側のシート30を表面側のシート20と同一の素材にしてもよく、この場合はバッグ10の裏面側からも意匠性が高い芳香物Aを視認することができる。
【００１１】
バッグ10は上部開口40を有する袋状に形成されており、接着剤を使用せずに表面側のシート20と裏面側のシート30を貼り合わせて形成されている。
具体的には、本実施の形態では矩形状に成形した両シートを重ね合わせ、その左右下部を糸50で縫合して貼り合わせている。両シート20,30を貼り合わせる方法としては、縫合以外に例えば加熱圧着する方法や、重ね合わせた両シート20,30の左右下部を折り返して固定する方法が挙げられるが、必ずしもこれらに限定されない。
【００１２】
上部開口40を介してバッグ10の内部に収容される芳香物Aの種類は特に問わず、例えば紙、木、スポンジ等の吸水性を備える部材にアロマオイルや香水を浸透させたものや、それ自身が香りを有するもの（例えば香木、ハーブ、生花、枝、果物の皮等）でもよい。特に芳香物として意匠性が高いもの（例えば水引、折り紙等）にアロマオイル等を浸透させたものを用いるのが好ましい。また、芳香物としてイヤリング等の装飾品を用いてもよい。
【００１３】
本発明は上記実施の形態で示した構成に限定されるものではなく、発明の趣旨を逸脱しない範囲で種々の変形が可能である。
例えば上記実施の形態では両シートを矩形にしたが、これに限らず三角形や五角形等の多角形や円形でもよい。
また、裏面側のシート30の表面、すなわち開口内部の面にメッセージを記載しておき、相手方が芳香物Aをバッグ10から取り出したときにこのメッセージが表れる仕組みにしてもよい。
【産業上の利用可能性】
【００１４】
本発明は、封筒等の袋体を開いた際にすぐに香りが拡がると共にアロマオイル等が外部に滲み出さない文香用のバッグであり、産業上の利用可能性を有する。
【符号の説明】
【００１５】
A 芳香物
10 文香用のバッグ
20 表面側のシート
30 裏面側のシート
40 上部開口
50 糸
【図１】
2016196302.tif 000003